(57)【特許請求の範囲】
【請求項１】
身体に接触させて用いる第１の導電パッドを備えた第１のトリートメント用電極と、
前記身体における前記第１の導電パッドを接触させた位置とは異なる位置に接触させて用いる第２の導電パッドと、電源と、外部からのコントロール信号を無線で受信する受信手段と、を備えた第２のトリートメント用電極と、
前記第１のトリートメント用電極における前記第１の導電パッドと前記第２のトリートメント用電極における前記第２の導電パッドとの間を接続する導通線と、
前記第２のトリートメント用電極上に設けられ、かつ前記第２の導電パッドを接触させた部位と前記第１のトリートメント用電極上の前記第１の導電パッドを接触させた部位との間に挟まれる身体部分に対し、前記電源からの電力の供給を受けてパルス電流を供給するトリートメント電流供給手段と、
前記第２のトリートメント用電極上に設けられ、かつ前記受信手段によって無線で受信された前記コントロール信号に基づいて、前記トリートメント電流供給手段の動作を制御する制御手段と、
トリートメントに関する情報を入力する入力手段と、前記入力手段により入力された情報に基づいてコントロール信号を生成するコントロール信号生成手段と、前記コントロール信号生成手段によって生成された前記コントロール信号を前記第２のトリートメント用電極上の前記受信手段へ無線で送信するコントロール信号送信手段と、を備えたコントロール装置と、
を具備することを特徴とするトリートメント装置。
【請求項２】
前記第１及び第２の導電パッドが前記導通線で接続された前記第１及び第２のトリートメント用電極を少なくとも三組以上備え、
さらに、前記コントロール装置は、前記トリートメント電流供給手段を介してパルス電流の供給を行う一組の前記第１及び第２のトリートメント用電極を、前記三組以上の第１及び第２のトリートメント用電極の中から切替可能に選択することを特徴とする請求項１記載のトリートメント装置。
【請求項３】
前記第１及び第２の導電パッドが、導電性を有する粘着シートで構成されていることを特徴とする請求項１又は２記載のトリートメント装置。
【請求項４】
身体における複数のトリートメント対象部位に各々対応させた形状の複数種の第１及び第２のトリートメント用電極の組を備えることを特徴とする請求項１ないし３のいずれか１項に記載のトリートメント装置。
【発明の詳細な説明】
【技術分野】
【０００１】
本発明は、痩身、美肌などのトリートメントを行う際に用いられるトリートメント装置に関する。
【背景技術】
【０００２】
人体では、その生体を維持するために休みなく生体電流が流れており、この生体電流によって細胞活動や筋肉の収縮運動が行われている。このため、外部から人為的に微弱電流を流して生体を刺激すると、生体電流と同様に細胞活動が活性化し筋肉の収縮運動を喚起して生体機能を高める効果がある。
【０００３】
そこで、皮膚面に接触させた電極から微弱なパルス電流を人体に供給することで、疲労回復、筋肉痛の緩和、痩身、又は美肌などのトリートメントを行えるパルス健康器が知られている（例えば、特許文献１参照）。
【特許文献１】特開２００２−２９１９１２号公報
【発明の開示】
【発明が解決しようとする課題】
【０００４】
しかしながら、上述した従来の装置は、人体に導電接触させるべき電極部分と電源を備える装置本体部分とを接続するケーブルが、装置の取り扱い性を低下させる要因になっているため、これを改善し装置の操作性を高めること等が求められている。
【０００５】
そこで本発明は、上記課題を解決するためになされたもので、操作性の向上を図ることで所望のトリートメントを容易に実現できるトリートメント装置の提供を目的とする。
【課題を解決するための手段】
【０００６】
上記目的を達成するために、本発明に係るトリートメント用電極は、電源と、身体に接触させて用いる導電パッドと、前記電源からの電力の供給を受けて前記導電パッドを接触させた身体部分にパルス電流を供給するトリートメント電流供給手段と、外部からのコントロール信号を無線で受信する受信手段と、前記受信手段によって無線で受信された前記コントロール信号に基づいて、前記トリートメント電流供給手段の動作を制御する制御手段とを具備することを特徴とする。
この発明によれば、身体部分へのパルス電流の供給をコードレスで行うことができるので、トリートメント時にユーザが取り扱う部品や機器類の操作性が格段に向上し痩身などの所望とするトリートメントを容易に実現することができる。
【０００７】
また、本発明に係るトリートメント用電極は、前記導電パッドを複数備えることを特徴とする。
また、本発明に係るトリートメント用電極は、前記制御手段が、前記トリートメント電流供給手段によるパルス電流供給用の一組の導電パッド若しくは一組のトリートメント用電極を、三つ以上の複数の導電パッド若しくは三つ以上の複数のトリートメント用電極の中から切替可能に選択することを特徴とする。
これらの発明によれば、身体における電極パッドの取付部分を変更することく、一組の導電パッド間（又は一組のトリートメント用電極の例えば単一の導電パッド間）に実質的に挟まれる身体部分にトリートメントを施すことができる。
【０００８】
さらに、本発明に係るトリートメント用電極は、前記少なくとも一組の導電パッドを接触させた所定の身体部分に測定電流を供給しこの身体部分のインピーダンスを測定するインピーダンス測定手段をさらに具備することを特徴とする。
この発明によれば、所望の身体部分の体脂肪、筋肉量、骨量、及び／又は水分量等を求めるために必要な情報源となるインピーダンスの値を得ることができる。
【０００９】
また、本発明に係るトリートメント用電極は、前記制御手段が、前記インピーダンス測定手段によるインピーダンス測定用の一組の導電パッド若しくは一組のトリートメント用電極を、三つ以上の複数の導電パッド若しくは三つ以上の複数のトリートメント用電極の中から切替可能に選択することを特徴とする。
この発明によれば、身体における電極パッドの取付部分を変更することく、各電極パッド間（又は一組のトリートメント用電極の例えば単一の導電パッド間）に実質的に挟まれる身体部分のインピーダンスの値を得ることができる。
【００１０】
さらに、本発明に係るトリートメント用電極は、前記インピーダンス測定手段によるインピーダンスをの測定結果を外部に送信するインピーダンス情報送信手段をさらに備え、前記受信手段が、前記インピーダンスの測定結果に基づいて算出される前記所定の身体部分の体脂肪、筋肉量、骨量、及び／又は水分量に対応するトリートメントの制御情報を前記コントロール信号として受信することを特徴とする。
また、本発明に係るトリートメント用電極は、前記制御手段が、前記コントロール信号としての、前記所定の身体部分の体脂肪、筋肉量、骨量、及び／又は水分量に対応するトリートメントの制御情報に基づいて、前記トリートメント電流供給手段により身体部分に供給されるパルス電流の出力及び／又は周波数を変更することを特徴する。
これらの発明によれば、測定された体脂肪の値に基づく最適なトリートメントを、例えば当該体脂肪の測定結果を得た身体部分に対して施すことが可能となる。
【００１１】
また、本発明に係るトリートメント用電極の導電パッドは、導電性を有する粘着シートで構成することが望ましい。この粘着シートとしては、例えばジェルシート等が例示される。この場合、皮膚面に導電パッドを接触させるための保持構造等を特別設けることなく、導電パッドと皮膚面との密着性を高めることができる。これにより、簡易的な構成で、パルス電流供給の効率化、すなわちトリートメントの効率化を図ることができる。
【００１２】
さらに、本発明のトリートメント用電極は、身体における複数のトリートメント対象部位に各々対応させた形状の複数種の導電パッドを備えるものもある。つまり、トリートメントを所望する身体上の部位に、専用の形状で形成された導電パッドを適用することで、対象部位に好適にトリートメントを施すことができる。
【００１３】
また、本発明は、身体における複数のトリートメント対象部位に対し前記複数種の導電パッドが各々接触可能な位置に固定された被服をさらに備えるものであってもよい。この場合、ユーザが被服を着用することで、身体上の各トリートメント対象部位に、専用の形状の導電パッドが各々接触することになり、トリートメントを行う前のセッティング作業の簡略化を図ることができる。
【００１４】
さらに、本発明は、前記身体部分に接触させた前記導電パッドを通じて心拍数を検出する心拍数検出手段をさらに具備することを特徴とする。
この発明によれば、この検出された心拍数に基づいて、例えばトリートメントのモード等を変更すること等が可能となる。
【００１５】
さらに、本発明に係るトリートメント装置は、前記トリートメント用電極とこのトリートメント用電極をコントロールするコントロール装置とを備え、前記コントロール装置が、トリートメントに関する情報を入力する入力手段と、前記入力手段により入力された情報に基づいて、コントロール信号を生成するコントロール信号生成手段と、前記コントロール信号生成手段によって生成された前記コントロール信号を無線で送信するコントロール信号送信手段とを具備することを特徴とする。
【００１６】
すなわち、この発明のトリートメント装置では、ユーザがコントロール装置を通じてトリートメントに関する情報、例えばトリートメントのモード等を入力すると、これに対応するコントロール信号がトリートメント用電極側に無線送信される。トリートメント用電極側では、無線にて受信したこのコントロール信号に応じたパルス電流の供給を皮膚面に接触させる少なくとも一組の導電パッドに対して行う。したがって、本発明によれば、装置の取り扱い性が良好であり、所望のトリートメントを容易に行うことができる。ここで、上述したトリートメントのモード設定等は、パルス電流供給部が導電パッドに供給するパルス電流の出力及び／又は周波数に変更加えること等で可能となる。
【００１７】
また、本発明に係るトリートメント装置は、前記トリートメント用電極とこのトリートメント用電極をコントロールするコントロール装置とを備え、前記コントロール装置が、前記インピーダンス情報送信手段により送信されたインピーダンスの測定結果を受信するインピーダンス情報受信手段と、前記インピーダンス情報受信手段により受信された前記インピーダンスの測定結果に基づいて、前記所定の身体部分の体脂肪、筋肉量、骨量、及び／又は水分量を算出する算出手段と、前記算出手段により算出された算出結果に基づいて、トリートメントの制御情報をコントロール信号として生成するコントロール信号生成手段と、前記コントロール信号生成手段によって生成された前記コントロール信号を無線で送信するコントロール信号送信手段とを具備することを特徴とする。
つまり、この発明のトリートメント装置では、身体における所望の部位の体脂肪、筋肉量、骨量、及び／又は水分量に基づいて、トリートメントの内容（トリートメントのモード等）を適宜変更できるので、これにより、ユーザにとって最適なトリートメントを施すことができる。
【発明の効果】
【００１８】
このように本発明によれば、操作性の向上を図ることで所望のトリートメントを容易に実現できるトリートメント装置を提供することができる。
【発明を実施するための最良の形態】
【００１９】
以下、本発明を実施するための最良の形態を図面に基づき説明する。
（第１の実施形態）
図１は、本発明の第１の実施形態に係るトリートメント装置の構成を概略的に示す図、図２は、このトリートメント装置が備えるトリートメント用電極の構成を概略的に示す図、図３は、このトリートメント用電極の断面図、図４は、トリートメント装置の構成を機能的に示すブロック図、図５は、トリートメント用電極が備えるパルス電流供給部の構成を機能的に示すブロック図である。
これらの図に示すように、このトリートメント装置１は、身体に導電接触させるトリートメント用電極４ａ（３ａ、５ａ）と、このトリートメント用電極４ａ（３ａ、５ａ）をコントロールするコントロール装置６とから構成されるコードレスのパルス健康器である。
【００２０】
コントロール装置６は、図２及び図４に示すように、乾電池等の電源９と、電源スイッチ１０と、トリートメントに関する情報、つまりトリートメントのモードを設定するためのモード設定スイッチ１８と、入力されたトリートメントモードに基づいて、コントロール信号を生成するコントロール信号生成部として機能するＣＰＵ２０及びメモリ２１と、生成されたコントロール信号を無線で送信する送信ユニット２２及びアンテナ８とを主に備えている。また、コントロール装置６には、液晶パネル７が設けられている。液晶パネル７は、トリートメントの種類の指定、トリートメントの開始又は停止、タイマの設定、パルス電流の強弱の調節などを行う際にこれらの動作に関連する情報を可視的に表示する。
【００２１】
また、コントロール装置６のＣＰＵ２０は、液晶パネル７及びモード設定スイッチ１８で指定したトリートメントの種類と給電パターンをメモリ２１から読み出し、これらをコントロール信号に変換して送信ユニット２２及び送信アンテナ８を介して無線でトリートメント用電極４ａ、３ａ、５ａにそれぞれ送信する。コントロール信号の無線通信には、ＡＭ波やＦＭ波等が用いられる。この他、位相変調信号や、また例えば赤外線による光通信などを適用してもよい。
【００２２】
一方、トリートメント用電極４ａ（３ａ、５ａ）は、図１ないし図４に示すように、いわゆるボタン電池等が適用された電源１４と、皮膚面に接触させて用いる導電パッド１７ｂと、電源１４からの電力の供給を受けて導通線１７ｅ、１７ｆを介して導電パッド１７ａ、導電パッド１７ｂ間の身体部分にパルス電流を供給するパルス電流供給部１９と、送信されたコントロール信号を無線で受信する受信部としての受信ユニット２３及びアンテナ１２と、この無線で受信されたコントロール信号に基づいて、パルス電流供給部１９の動作を制御する制御部として機能するメモリ２５及びＣＰＵ２４等のチップ部品１６とを備えている。ＣＰＵ２４にＩ／Ｏ２７を介して接続されるパルス電流供給部１９は、パルス電流の出力及び／又は周波数を変更可能に構成されている。ここで、例えば導電パッド１７ａ、導電パッド１７ｂのうちの一方が負極（又はアース極）、他方が正極となる。ここで、コントロール装置６から無線で受信されるコントロール信号により、各トリートメント用電極４ａ、３ａ、５ａから、各々パルス電流が発生することになるが、当該各電極から発生するパルス電流は、タイミング、周波数、出力等において同期がとられたかたちで出力されることが望ましい。ここで、身体へのパルス電流の供給を図６に示すトリートメント用電極４ｃ、４ｄにより実現してもよい。すなわち、トリートメント用電極４ｄには、単一の導電パッド１７ｈが取り付けられている。一方、トリートメント用電極４ｃには、単一の導電パッド１７ｇ、アンテナ１２、電源１４、メモリ２５及びＣＰＵ２４等のチップ部品１６、パルス電流供給部１９が搭載されている。また、パルス電流供給部１９の一方の出力、例えば負極（又はアース極）側は、導通線１７ｊを介して、導電パッド１７ｈに接続され、パルス電流供給部１９の他方の出力、例えば正極側は、導通線１７ｋを介して導電パッド１７ｇに接続されている。これにより、導電パッド１７ｇと導電パッド１７ｈとを接触させた身体部分の間にパルス電流を供給することが可能となる。
【００２３】
ここで、このトリートメント装置１で実現可能なトリートメントの種類には、５〜１０Ｈｚの低い周波数のパルスで身体の深部を刺激し、骨格筋を運動させて血液の循環を促し、身体を揉みほぐす効果のあるトーニングと、２０〜１００Ｈｚの高い周波数のパルスで身体の表部を刺激し、上層部の筋肉を運動させてリンパ液の流れを助長し、浮腫などを取り除く効果のあるドレナージュがある。
【００２４】
ドレナージュとトーニングには、パルス電圧をサイクリックに上下して刺激を変化させるスペシャル・ドレナージュとスペシャル・トーニングがある。また、同時に複数の電極間にパルスを流す通常のドレナージュとトーニングの他に、時系列で時間を分けて複数の電極間にパルスを流す時系列ドレナージュと時系列トーニング、あるいは時分割で同時に複数の電極間にパルスを流す時分割ドレナージュと時分割トーニングがある。
【００２５】
また、図５に示すように、トリートメント用電極４ａ、３ａ、５ａは、コントロール装置６側から送信されたコントロール信号を受信アンテナ１２及び受信ユニット２３を介して無線で受信する。トリートメント用電極４ａ、３ａ、５ａに設けられたパルス電流供給部１９は、液晶パネル７及びモード設定スイッチ１８で指定されたトリートメントの種類と給電パターンをＣＰＵ２４によってメモリ２５から読み出し、これらの種類やパターンに基づいて基準クロック発生器２６のクロックパルスを分周したデジタルトリガ信号をインタフェース２７及びＤ／Ａ変換器２８を介してパルス発生器２９に入力し、所定の幅と周波数のパルスを生成してトランスＴ１の一次側に供給する。
【００２６】
また、パルス電流供給部１９では、トランスＴ１と並列にトランスＴ２が接続されており、トランスＴ２に電流検出回路３０を接続して電流値を測定し、過電流が流れていないかどうかを監視する。電流検出回路３０によって検出された検出電流は、Ａ／Ｄ変換器３１及びインタフェース７を介してＣＰＵ２４に入力され、電流値が基準をオーバーしているときは、電流保護回路３２を通じて遮断スイッチ３３を作動させ回路を遮断する。
【００２７】
ここで、本実施形態のトリートメント用電極は、図１に示すように、身体における複数のトリートメント対象部位に各々対応させた形状の複数種の導電パッドを備えている。すなわち、トリートメント用電極３ａは、腰部（ウエスト）の痩身用の電極であり、トリートメント用電極４ａは、そけい部（内もも）の痩身用の電極であり、さらに、トリートメント用電極５ａは、尻部（ヒップ）の痩身用の電極である。また、各電極の導電パッド１７ａ、１７ｂは、ジェルシートで構成されている。これにより、皮膚面に導電パッド１７ａ、１７ｂを接触させるための保持構造等を特別設けることなく、導電パッド１７ａ、１７ｂと皮膚面との密着性を高めることができる。これにより、簡易的な構成で、パルス電流供給の効率化、すなわちトリートメントの効率化を図ることができる。なお、トリートメント用電極４ａ（３ａ、５ａ）は、身体の右半身用の電極であり、これと対の左半身用の電極はその図示を省略している。
【００２８】
トリートメント用電極４ａ（３ａ、５ａ）は、電気絶縁性のベース支持材５０と、ＣＰＵ２４やメモリ２５等のチップ部品１６が搭載された制御ボード１５やアンテナ１２を、ベース支持材５０との間の内側部分に覆う可撓性を有する基材１７ｄと、この基材１７ｄの外側に固定された可撓性を有する前記導電パッド１７ａ、１７ｂとから構成されている。ベース支持材５０は、ユーザが運動しながらトリートメントを行う場合や着用感（着心地）などが考慮され、例えばポリウレタン１８％、ナイロン８２％の割合の合成繊維を縫製した伸縮自在な合成繊維材料で形成されている。
【００２９】
また、導電パッド１７ａ、１７ｂを上述した導電性ジェルシートに代えて、下記導電性塗膜で形成してもよい。つまり、導電パッド１７ｂは、例えば電気絶縁性のウレタンシート等をベース材にし、このシート表面に導電性のカーボンインクが例えばグラビア印刷され、さらにこの印刷された塗膜が熱プレスによってシート上に熱溶着され形成されている。
【００３０】
なお、基材１７ｄとしてのシート表面にアルミ箔を接着して面状電極を形成したり、ゴムやシリコンに金属粉末を混入したもので面状電極を形成してもよい。また、基材１７ｄは、例えば布地又は不織布などであってもよい。このような導電パッド１７ｂは、その周縁部に電気絶縁性の領域を有することになり、この周縁部の領域が、縫合により導電パッド１７ａ、１７ｂに固定されている。これにより、導電パッド１７ａ、１７ｂの例えば縫い目１７ｃのバリなどから集中的に電流が給電されてしまうことなどが防止されているので、トリートメント中、ユーザに不快感を与える恐れがない。
【００３１】
このように構成された本実施形態のトリートメント装置１では、ユーザがコントロール装置６を通じてトリートメントに関する情報、例えば痩身トリートメントのモード等を入力すると、これに対応するコントロール信号がトリートメント用電極側に無線送信される。トリートメント用電極側では、無線にて受信したこのコントロール信号に応じたパルス電流の供給を皮膚面に接触させる導電パッドに対して行う。したがって、本実施形態のトリートメント装置１によれば、皮膚面へのパルス電流の供給をコードレスで行うことができるので、トリートメント時にユーザが取り扱う部品や機器類の操作性が格段に向上し痩身等の所望とするトリートメントを容易に実現することができる。
【００３２】
（第２の実施形態）
次に本発明の第２の実施形態を図７及び図８に基づいて説明する。
ここで、図７は、本発明の第２実施形態に係るトリートメント用電極が取り付けられた被服を示す正面図、図８はこの被服の背面図である。
【００３３】
これらの図に示すように、この被服５１は、下半身に着用されるものである。被服５１には、第１の実施形態で示したトリートメント用電極３ａ、４ａ、５ａ（右半身用）、３ｂ、４ｂ、５ｂ（左半身用［第１の実施形態では不図示］）が縫合又は熱溶着等により取り付けられている。
【００３４】
ここで、被服５１を着用した場合には、トリートメント用電極３ａ、３ｂの導電パッド１７ｂは腰部（脇腹の腹直筋及び下腹部の外腹斜筋）に接触し、トリートメント用電極４ａ、４ｂの導電パッド１７ｂは、そけい部（内もも）に接触し、さらに、トリートメント用電極５ａ、５ｂの導電パッド１７ｂは、尻部（大殿筋）に接触する。身体へのパルス電流の供給は、第１の実施形態で説明したコントロール装置６からの無線通信により行われる。
【００３５】
したがって、この実施形態によれば、ユーザが被服５１を着用することで、身体上の各トリートメント対象部位に、専用形状の導電パッドが各々接触することになり、トリートメントを行う前のセッティング作業等の簡略化を図ることができる。
【００３６】
（第３の実施形態）
次に本発明の第３の実施形態を図面に基づき説明する。
ここで、図９は、本発明の第３実施形態に係るトリートメント装置の構成を示す図、図１０は、このトリートメント装置が備えるトリートメント用電極の構成を示す図、図１１は、図１０のトリートメント用電極と異なる他のトリートメント用電極の構成を示す図、図１２は、このトリートメント装置が備えるコントロール装置の液晶表示部の構成を示す図、図１３は、図１２の液晶表示部のマトリックス表示領域の構成を示す図、図１４は、コントロール装置の平面図、図１５は、コントロール装置の側面図、図１６は、コントロール装置の背面図、図１７は、このトリートメント装置が行う全体的な制御を示す模式図である。
【００３７】
これらの図に示すように、トリートメント装置１００は、親機としてのコントロール装置１０１と、子機としての複数のトリートメント用電極１２０、１２１、１２２…を備えて構成されている。すなわち、このトリートメント装置１００では、複数の中から一組のトリートメント用電極を選択してこれを接触させた身体部分に測定電流を供給しこの身体部分のインピーダンスを測定する。さらに、トリートメント用電極は、インピーダンスの測定結果をコントロール装置１０１側に送信する。無線送受信部及び演算制御部を備えるコントロール装置１０１は、送信されてきたインピーダンスの測定結果に基づいて、所定の身体部分の体脂肪、筋肉量、骨量、及び／又は水分量を算出する。さらに、コントロール装置１０１は、この算出結果に基づいて、トリートメントの制御情報をコントロール信号として生成しトリートメント用電極側に返信する。さらに、コントロール信号を受信したトリートメント用電極は、身体における所望の部位の体脂肪、筋肉量、骨量、及び／又は水分量に基づく、パル電流を身体における所望の部位に供給する。すなわち、トリートメント装置１００では、トリートメントの内容（トリートメントのモード等）を適宜変更できるので、ユーザにとって最適なトリートメントを施すことができる。
【００３８】
次に、コントロール装置１０１について説明する。
このコントロール装置１０１は、上記したように、トリートメント用電極との間の情報のやり取りにより、身体部分のインピーダンスや、体脂肪、筋肉量、骨量、及び／又は水分量等を測定できることに加え、このコントロール装置単体でも、これらインピーダンスや体脂肪を測定できる。コントロール装置１０１には、筐体１１４の左右両側部に突出／収容可能に設けられた一対の把持部１０４を備えている。各々の把持部１０４には、上記インピーダンス測定のための給電側電極Ｈ１、Ｈ１、検出側電極Ｈ２、Ｈ２が設けられている。
【００３９】
左右の把持部１０４の間には、液晶表示部（操作機能も兼ねる）１１４が設けられている。この液晶表示部１０５の下方には、電源をオン／オフする電源ボタン１０６と、体脂肪量測定や骨量測定、トリートメントなどの機能を選択するための機能選択ボタン（パルスの出力レベルの上／下を兼用）１０９と、表示情報等を戻すリバースボタン１１０と、機能の実行の開始／終了を指示するための開始／終了ボタン１０８と、ユーザの性別、年齢、身長、体重、手首回りの長さ、足首回りの長さといった個人情報の入力、トリートメントのためのパルス電流の強さ・周波数およびトリートメント時間の設定などに各々用いられるボタンなどが設けられている。筐体１１４の背面には電源収容部が設けられている。さらに、複数の中から所望のトリートメント用電極を選択するための電極選択ボタン１１６、１１７、電極選択ボタン１１６、１１７により選択された身体部分（インピーダンス測定部分、トリートメントのための電流供給部分）を表示する身体選択部分表示部１１２、インピーダンス測定とパルス電流の供給とを切り替えるための切替えボタン１１５等を備えている。体脂肪、筋肉量、骨量、及び／又は水分量等の測定結果は、図１３に示すようにマトリックス表示領域１１１に表示される。コントロール装置１０１単体で、これらインピーダンスや体脂肪を測定する場合には、上記操作キーを操作し、その後、左右の把持部１０４を把持することで、測定を行うことができる。
【００４０】
次に、コントロール装置１０１によるトリートメント用電極との間での情報のやり取りにより、身体部分のインピーダンスや、体脂肪、筋肉量、骨量、水分量等を測定するための構成を図１１〜図１７に加え、図１８〜図２０を参照しつつ説明を行う。ここで、図１８は、身体に取り付けた６つのトリートメント用電極の中から、一組（２つ）の電極を選択した場合の組合せを示す図、図１９、図２０は、その組合せの身体部分に対応する位置関係を示す模式図である。
【００４１】
図１２に示すように、この実施形態のトリートメント用電極１２５、１２６…の構成は、第１の実施形態の図６に示したトリートメント用電極４ｃ、４ｂの構造とほぼ同様である。ただし、電極４ｃが搭載するパルス電流供給部１９に代えて、インピーダンス測定用のパルス電流の供給を兼用するパルス電流供給部１２７を備えている。なお、図２に示したトリートメント用電極４ａと同様の構造を有するトリートメント用電極１２８を用いてもよい。ここで、パルス電流供給部１２７より出力されるパルス幅は、１００〜５００μｓｅｃの範囲内であることが望ましい。なお、中〜高周波の範囲までのパルス出力を可能としてもよい。
【００４２】
本実施形態の６つのトリートメント用電極７１〜７６は、インピーダンス測定時に両腕、臍（へそ）を挟む部分のやや下部、両脚部に取り付けられる。つまり、上半身、下半身、腹部のインピーダンス値を精度よくとることができる。測定時は、測定者に一定の体勢をとらせる。測定インピーダンスは、測定距離によって変わるので、１０Ω〜３０００Ω程度の範囲を精度良く測定できるようにする。また、６つの中から、選択した一組（２つの）電極間の身体部分へは８００μＡ程度の電流を供給する。供給パルスの周波数は５０Ｈｚ程度が望ましい。ここで、パルス幅については、脂肪の多い人には、パルス幅を広く、また比較的少ない人にはパルス幅を狭くする。また、心臓の鼓動の変化をとらえることができるように、電極から心拍数を検出できるようにしてもよい。
【００４３】
つまり、このように構成される本実施形態のトリートメント装置１０では、身体における所望の部位の体脂肪、筋肉量、骨量、及び／又は水分量の測定後、連続的に、トリートメントの内容（トリートメントのモード等）が適宜変更され、ユーザにとって最適なトリートメントが行われる。
以上、本発明を各実施の形態により具体的に説明したが、本発明はこれらの実施形態にのみ限定されるものではなく、その要旨を逸脱しない範囲で種々変更可能である。
【図面の簡単な説明】
【００４４】
【図１】第１の実施形態に係るトリートメント装置の構成を概略的に示す図。
【図２】図１のトリートメント装置が備えるトリートメント用電極の構成を概略的に示す図。
【図３】図２に示すトリートメント用電極の断面図。
【図４】図１のトリートメント装置の構成を機能的に示すブロック図。
【図５】図１のトリートメント装置が備えるパルス電流供給部の構成を機能的に示すブロック図。
【図６】図２の構成の異なるトリートメント用電極を示す図。
【図７】本発明の第２実施形態に係るトリートメント用電極が取り付けられた被服を示す正面図。
【図８】図７の被服の背面図。
【図９】本発明の第３実施形態に係るトリートメント装置の構成を示す図。
【図１０】図９のトリートメント装置が備えるトリートメント用電極の構成を示す図。
【図１１】図１０のトリートメント用電極と異なる他のトリートメント用電極の構成を示す図。
【図１２】図９のトリートメント装置が備えるコントロール装置の液晶表示部の構成を示す図。
【図１３】図１２の液晶表示部のマトリックス表示領域の構成を示す図
【図１４】図１２のコントロール装置の平面図。
【図１５】図１２のコントロール装置の側面図。
【図１６】図１２のコントロール装置の背面図。
【図１７】図９のトリートメント装置が行う全体的な制御を示す模式図。
【図１８】身体に取り付けた６つのトリートメント用電極の中から、一組（２つ）の電極を選択した場合の組合せを示す図。
【図１９】図１８の組合せの身体部分に対応する位置関係を示す模式図。
【図２０】図１９と異なる組合せの身体部分に対応する位置関係を示す模式図。
【符号の説明】
【００４５】
１…トリートメント装置、３ａ，３ｂ，４ａ，４ｂ，５ａ，５ｂ…トリートメント用電極、６…コントロール装置、９，１４…電源、８，１２…アンテナ、１５…制御ボード、１６…チップ部品、１７ｂ…導電パッド、１８…モード設定スイッチ、１９…パルス電流供給部、２０，２４…ＣＰＵ、２１，２５…メモリ、２２…送信ユニット、２３…受信ユニット、５１…被服。
【図１】
0004606773.tif 000002
【図２】
0004606773.tif 000003
【図３】
0004606773.tif 000004
【図４】
0004606773.tif 000005
【図５】
0004606773.tif 000006
【図６】
0004606773.tif 000007
【図７】
0004606773.tif 000008
【図８】
0004606773.tif 000009
【図９】
0004606773.tif 000010
【図１０】
0004606773.tif 000011
【図１１】
0004606773.tif 000012
【図１２】
0004606773.tif 000013
【図１３】
0004606773.tif 000014
【図１４】
0004606773.tif 000015
【図１５】
0004606773.tif 000016
【図１６】
0004606773.tif 000017
【図１７】
0004606773.tif 000018
【図１８】
0004606773.tif 000019
【図１９】
0004606773.tif 000020
【図２０】
0004606773.tif 000021